(57)【要約】【課題】  個々の遊技機の監視履歴情報等を容易に且つ確実に処理可能であり、ひいては不正を効果的に防止することが可能な遊技機管理システム及び遊技機を提供する。【解決手段】  Ｒ／Ｗユニットは、アンテナを介して、ＩＣタグへ呼出波を送信してから所定時間内に反射波を受信しなかった場合には、監視手段によって正常でないと判断し、監視履歴情報として反射波を受信できなくなった時刻をタイマに基づきＥＥＰＲＯＭに記憶する。一方、Ｒ／Ｗユニットに接続されている中継タグ７６が、前面枠４の裏側に係止片７８、７８・・に係止された状態で取り付けられている。そして、ＰＤＡ等の外部携帯端末により、中継タグ７６を介して、監視履歴情報の処理を行うことができる。【選択図】図２
2005130937.tif 000002
【特許請求の範囲】
【請求項１】
少なくとも一方の移動によって相対距離が変化する第一の部材と第二の部材とからなる可動部を少なくとも一組有する遊技機に用いられ、
前記第一の部材あるいは第二の部材のどちらか一方の部材に設けられる呼出波を受信すると記憶している固有の識別情報を含む反射波を出力するＩＣタグと、
他方の部材に設けられ、前記ＩＣタグに対して呼出波を送信し、前記ＩＣタグからの反射波を受信するアンテナと、
前記ＩＣタグとアンテナとの間における非接触通信により前記可動部の監視を行う監視手段と、前記ＩＣタグに記憶されている固有の識別情報及び監視手段による監視結果を含む監視履歴情報を記憶する記憶手段とを備えた監視制御装置と、
その監視制御装置に接続され、前記監視制御装置の記憶手段に記憶されている監視履歴情報を処理する中継タグと、
該中継タグと非接触通信を行い、中継タグに対して前記監視履歴情報の処理の指令を行う外部携帯端末とからなる遊技機管理システムであって、
前記中継タグは、取付位置が変更可能なものであることを特徴とする遊技機管理システム。
【請求項２】
前記監視制御装置は、
タイマを備えており、
前記監視手段において、前記アンテナを介して呼出波を送信してから所定時間内に前記ＩＣタグからの反射波を受信し、且つ受信した反射波に含まれる識別情報が前記記憶手段に予め記憶されているもの識別情報と一致した場合のみを正常と判断し、それ以外の場合を異常と判断し、異常と判断した場合には前記監視履歴情報を異常と判断した時刻に関連づけて記憶することを特徴とする請求項１に記載の遊技機管理システム。
【請求項３】
請求項１または２のいずれかに記載の遊技機管理システムを備えており、該遊技機管理システムにより前記可動部を管理することを特徴とする遊技機。
【請求項４】
前記中継タグが遊技機に設けられた複数の取付位置へ選択的に着脱可能となっていることを特徴とする請求項３に記載の遊技機。
【請求項５】
前記中継タグに吸盤を設けたことを特徴とする請求項３に記載の遊技機。
【請求項６】
前記中継タグは、遊技機の前面側から前記外部携帯端末と非接触通信を行うことができる位置に取り付けられていることを特徴とする請求項３〜５のいずれかに記載の遊技機。
【発明の詳細な説明】
【技術分野】
【０００１】
本発明は、パチンコ機等の遊技機の状態を管理する遊技機管理システム及び遊技機に関するものである。
【背景技術】
【０００２】
従来より、遊技機のうちパチンコ機においては、遊技者が不正に利益を得ようとするような不正行為が後を絶たない。そこで、遊技場に設置された遊技機に対する不正行為を防止するために、特許文献１に開示されているような遊技用装置が考案されている。
特許文献１に開示されている遊技用装置は、各遊技機の制御基板収納ボックスに識別情報が登録されたＩＣタグを貼着し、各ＩＣタグに対してＩＤ読取装置をそれぞれ別個に設けており、ＩＣタグとＩＤ読取装置との間でＲＦＩＤ（Radio  Frequency  identification）通信を行うことにより、ＩＣタグに登録されている識別情報を読み取るものである。そして読み取った識別情報をＩＤ読取装置に表示させて確認する或いは情報管理装置へと送信して確認することにより、制御基板収納ボックスが不正に交換されたか否かを判断するものである。
【０００３】
【特許文献１】特開２０００−２８８２１８号公報
【０００４】
しかしながら、特許文献１に記載されているような遊技用装置では、ＩＤ読取装置が制御基板収納ボックスの外側に配置されているため、ＩＣタグとＩＤ読取装置の相対位置を変更せずに制御基板収納ボックスを開放し、収納された制御基板上のＲＯＭをすり替えることが可能であり、結局は、不正行為の早期発見には至らなかった。
そこで、そのような問題点を解決するために、特願２００２−２４５９９９号（以下、先願１という）に開示されているような監視システムを備えた遊技機が考案されている。
【０００５】
先願１に開示されている監視システムは、ＩＣタグと、該ＩＣタグと無線通信可能なアンテナと、ＩＣタグとアンテナとの間において行われる無線通信を制御及び監視するＩＣタグ監視装置と、ＩＣタグ監視装置の監視履歴を管理する履歴管理用ＩＣタグと、履歴管理用ＩＣタグとＲＦＩＤ通信可能なＰＤＡ等の外部携帯端末とからなるものである。履歴管理用ＩＣタグは、遊技機のガラス枠の裏面に接着剤等で接着されており、ガラス枠を開放せずとも遊技機のガラス枠越しにＰＤＡと無線通信可能となっている。
【発明の開示】
【発明が解決しようとする課題】
【０００６】
通常、遊技場ホールにはＲＦＩＤ通信にとって不都合な要素（金属製の部材や電磁波を発生する他の部材）が多々存在する。したがって、遊技機を島設備に設置する前迄は、履歴管理用ＩＣタグとＰＤＡとの間でＲＦＩＤ通信を問題なく行えていたにもかかわらず、いざ島設備に設置した途端、ＲＦＩＤ通信ができなくなるというケースは当然起こり得る。また、ある設置場所では通信可能であったにもかかわらず、別の設置場所へと設置位置を変更すると通信不可となってしまうケースも起こり得る。しかしながら、先願１の監視システムのように履歴管理用ＩＣタグをガラス枠の裏面に固着する構成では、上記ケースの発生により履歴管理用ＩＣタグの固着位置を変更しなければならない場合等に、固着位置の変更ができなかったり、多大な手間が必要となったりするおそれがある。また、遊技機は遊技場ホール内にてその設置位置を度々変更されるものであるため、場合によっては満足な履歴管理を行うことができないおそれもある。
加えて、履歴管理用ＩＣタグは遊技機とは別体のものであって、ガラス枠の裏面に固着され遊技機と一体である必要性は全くなく、島設備において管理に適当な位置があれば、その位置に設けてもよい。しかしながら、先願１のシステムにおいて、そのような利用は考慮なされていない。
【０００７】
そこで、本発明は、上記従来の監視システム及び遊技機が有する問題点を解消し、個々の遊技機の監視履歴情報等を容易に且つ確実に処理可能であり、遊技機の可動部を効果的に管理することができるとともに、ひいては不正を効果的に防止することが可能な遊技機管理システム及び遊技機を提供しようとするものである。
【課題を解決するための手段】
【０００８】
上記目的を達成するために、請求項１に記載の発明は、少なくとも一方の移動によって相対距離が変化する第一の部材と第二の部材とからなる可動部を少なくとも一組有する遊技機に用いられ、前記第一の部材あるいは第二の部材のどちらか一方の部材に設けられる呼出波を受信すると記憶している固有の識別情報を含む反射波を出力するＩＣタグと、他方の部材に設けられ、前記ＩＣタグに対して呼出波を送信し、前記ＩＣタグからの反射波を受信するアンテナと、前記ＩＣタグとアンテナとの間における非接触通信により前記可動部の監視を行う監視手段と、前記ＩＣタグに記憶されている固有の識別情報及び監視手段による監視結果を含む監視履歴情報を記憶する記憶手段とを備えた監視制御装置と、その監視制御装置に接続され、前記監視制御装置の記憶手段に記憶されている監視履歴情報を処理する中継タグと、該中継タグと非接触通信を行い、中継タグに対して前記監視履歴情報の処理の指令を行う外部携帯端末とからなる遊技機管理システムであって、前記中継タグは、取付位置が変更可能なものであることを特徴とするものである。
また、請求項２に記載の発明は、請求項１に記載の発明に加えて、不正行為に関する情報をより詳細なものとするために、前記監視制御装置は、タイマを備えており、前記監視手段において、前記アンテナを介して呼出波を送信してから所定時間内に前記ＩＣタグからの反射波を受信し、且つ受信した反射波に含まれる識別情報が前記記憶手段に予め記憶されているもの識別情報と一致した場合のみを正常と判断し、それ以外の場合を異常と判断し、異常と判断した場合には前記監視履歴情報を異常と判断した時刻に関連づけて記憶することを特徴とするものである。
また、請求項３に記載の発明は、請求項１または２のいずれかに記載の遊技機管理システムを備えており、該遊技機管理システムにより前記可動部を管理することを特徴とする遊技機である。
さらに、請求項４に記載の発明は、請求項３に記載の発明に加えて、中継タグの取付位置の変更をより容易とするために、前記中継タグが遊技機に設けられた複数の取付位置へ選択的に着脱可能となっていることを特徴とするものである。
さらにまた、請求項５に記載の発明は、請求項３に記載の発明に加えて、中継タグの取付位置の変更をより容易とするために、前記中継タグに吸盤を設けたことを特徴とするものである。
加えて、請求項６に記載の発明は、請求項３〜５の発明に加えて、監視履歴情報の処理作業を容易に行えるように、前記中継タグは、遊技機の前面側から前記外部携帯端末と非接触通信を行うことができる位置に取り付けられていることを特徴とするものである。
【発明の効果】
【０００９】
本発明に係る遊技機管理システムによれば、遊技機の可動部に、ＩＣタグ及びアンテナをそれぞれ設け、ＩＣタグとアンテナとの間において非接触通信を行うことで監視を行っている。そして、監視制御装置の監視手段によって、非接触通信が異常な状態であると判断された場合には、監視制御装置の記憶手段に監視履歴情報を記憶している。その監視履歴情報を、中継タグと外部携帯端末との非接触通信により、容易に処理することを可能としているため、より効果的に可動部の管理を行うことができ、ひいては不正行為等に対する防犯性の向上を図ることができる。さらに、中継タグと外部携帯端末との間の通信状態がおもわしくない等の場合には中継タグの取付位置を適宜変更すればよく、より利便性を向上することができる。
特に、請求項２に記載の遊技機管理システムとすることで、監視履歴情報を不正行為が行われた可能性がある時刻に関連づけたものとするため、不正行為等を発見しやすいものとすることができ、さらに効果的に可動部を管理することができる。
また、請求項３に記載の発明とすることで、防犯性が著しく向上された遊技機とすることができる。
さらに、請求項４または５に記載の発明とすることで、中継タグの取付作業、取付位置の変更等が容易となる。したがって、遊技機の設置位置の変更に伴い、中継タグと外部携帯端末との間の通信状態がおもわしくなくなったとしても、中継タグの取付位置を変更すればよく、より利便性の向上した遊技機となる。
さらにまた、請求項６に記載の発明とすることで、遊技機の前面側からであっても、外部携帯端末により、中継タグを介して監視履歴情報を処理することができるため、処理作業にかかる時間や手間を少なくすることができる。
【発明を実施するための最良の形態】
【００１０】
以下、本発明に係る遊技機管理システム及び遊技機の一実施形態である遊技機管理システム及びパチンコ機について、図面に基づき、次の目次の順序にしたがって、詳細に説明する。
（１）実施例の遊技機管理システム及びパチンコ機の概要
（２）実施例の遊技機管理システム及びパチンコ機の構造
（３）実施例の遊技機管理システム及びパチンコ機の動作内容
（４）実施例の遊技機管理システム及びパチンコ機の効果
（５）本発明の変更例の説明
【００１１】
（１）実施例の遊技機管理システム及びパチンコ機の概要
本実施例に係るパチンコ機は、パチンコ機本体を支持する機枠（可動部）に、ミドル枠（可動部）が着脱自在に取り付けられているとともに、そのミドル枠に、ガラス板等が設置された前面枠（可動部）、供給皿（可動部）、貯留皿（可動部）等が着脱自在に取り付けられているものである。以下、ミドル枠及びミドル枠に取り付けられている前面枠等を合わせて遊技枠（可動部）とする。
また、遊技枠の背面側は機構板が取り付けられた状態となっており、該機構板に、遊技内容に関する作動を制御するためのメイン制御基板を収納したメイン制御ボックス（可動部）、パチンコ機の監視動作を制御するとともに監視履歴情報を記憶する監視制御装置、及び遊技球払出装置等が設置されている。
【００１２】
さらに、機枠に対する遊技枠の開閉状況を監視するために、機枠にはＲＦ（Radio  Frequency）送受信（非接触通信）可能で固有の識別情報を記憶した機枠タグ（ＩＣタグ）、遊技枠には機枠タグとＲＦ送受信可能な機枠アンテナ（アンテナ）がそれぞれ設置されている。そして、機枠タグと機枠アンテナとの間のＲＦ送受信の可否によって、遊技枠の開閉状況を監視するようになっている。
また、前面枠の開閉状況を監視するために、前面枠にはＲＦ送受信可能で固有の識別情報を記憶した前面枠タグ（ＩＣタグ）、遊技枠には前面枠タグとＲＦ送受信可能な前面枠アンテナ（アンテナ）がそれぞれ設置されている。そして、前面枠タグと前面枠アンテナとの間のＲＦ送受信の可否によって、前面枠の開閉状況を監視するようになっている。
加えて、メイン制御ボックスは前ケース及び後ケースとからなる分割式の収納ケースであり、このようなメイン制御ボックスの開閉状況を監視するために、ＲＦ送受信可能で固有の識別情報を記憶したメインタグ（ＩＣタグ）と、そのメインタグとＲＦ送受信可能なメインアンテナ（アンテナ）とが、前ケースと後ケースとに跨るような位置に設置されている。そして、メインタグとメインアンテナとの間のＲＦ送受信の可否によって、メイン制御ボックスの開閉状況を監視するようになっている。
そして、このような各ＩＣタグとアンテナとの間で行われる非接触通信は常時（２４時間）行われており、各箇所における開閉状況をリアルタイムで監視している。また、各タグに記憶されている固有の識別情報とは、その名の通り各タグ毎に固有な唯一無二のものである。
【００１３】
さらにまた、上記各アンテナは監視制御装置に接続されている。そして、監視制御装置には、各タグとアンテナとの間における非接触通信を行うとともに、非接触通信の通信状態を監視する監視手段が備えられている。また、監視制御装置は、各タグに記憶されている識別情報及び監視履歴情報を記憶する記憶手段が設けられている。なお、識別情報等は予め登録されている。さらに、監視制御装置には、時刻を計時するタイマ等も備えられている。
一方、パチンコ機の前面枠の裏面には、監視制御装置に接続され、監視制御装置に記憶されている監視履歴情報を、ＲＦ送受信可能なユニットを備えたＰＤＡ（Personal Digital Assistant）等の外部携帯端末からの指令により処理する場合に、該指令の中継点となる中継タグが取り付けられている。なお、中継タグは適宜取り付け位置を変更することができる。
【００１４】
（２）実施例の遊技機管理システム及びパチンコ機の構造
図１は、パチンコ機１の正面を示したものであり、図２は、遊技枠３及び前面枠４を片開きにした状態のパチンコ機１を前方から見た斜視図である。図３は、パチンコ機１の背面を示したものである。
パチンコ機１は、その周囲を機枠２によって支持されており、機枠２の前面には、金属板を折り曲げ形成したミドル枠１０が、左端縁（前方から見て）を軸として着脱自在に蝶着されている。そして、ミドル枠１０の前面側であってパチンコ機１の中央よりやや上側には、略正方形の遊技盤９が設けられているとともに、その遊技盤９を覆うように前面枠４が左端縁（前方から見て）を軸として着脱自在に蝶着されている。また、前面枠４の下方には、発射装置５に遊技球を供給するための供給皿６、及び供給皿６から溢れた遊技球を貯留するための貯留皿７が設置されている。さらに、供給皿６と貯留皿７との間には、効果音を発生させるためのスピーカ１１が設けられており、貯留皿７の右側（前方から見て）には、発射装置５を操作するための発射ハンドル８が取り付けられている。
【００１５】
また、遊技盤９の前面には、誘導レール１２で囲まれた略円形の遊技領域１３が設けられている。そして、その遊技領域１３の略中央には、図柄表示装置１４が設けられており、液晶画面１５に種々の動画やメッセージ等を表示することができるようになっている。さらに、図柄表示装置１４の下側には、図柄始動口１６が設けられており、その図柄始動口１６の下側には、扉部材（可動部）５３を開閉させる大入賞装置（可動部）１７が設けられている。加えて、遊技領域１３には、遊技球の落下に変化をもたせるために多数の障害釘や、風車等の遊技部材とともに、遊技性を向上させるためのサイドランプ１８、１８・・等が設けられている。また、前面枠４にも電飾ランプ１９、１９・・等が設置されている。
以下、ミドル枠１０、及びミドル枠１０に取り付けられた遊技盤９や前面枠４等をまとめて遊技枠３と称す。
【００１６】
図２に示されているように、遊技枠３の開放側端面には、ＲＦ送受信を行う機枠アンテナ２０が固着されているとともに、機枠２の開放側側面内側であって、遊技枠３を閉じた際に機枠アンテナ２０と対峙する箇所には、機枠アンテナ２０との間でＲＦ送受信を行う機枠タグ２１が固着されている。
図４は、機枠タグ２１の外観を示したものであり、図５は機枠タグ２１の制御機構を示したブロック図である。機枠タグ２１は、薄いフレキシブルプリント基板２２上に、ＲＦ回路２３とＥＥＰＲＯＭ２４とを一体にしたＩＣチップ２５、及び送受信回路２６を設けたものであり、ＲＦ回路２３にＥＥＰＲＯＭ２４と送受信回路２６とが接続された状態になっている。そして、ＥＥＰＲＯＭ２４の上書消去禁止区域には、機枠タグ２１を他のＩＣタグと識別するための識別情報が記憶されている。
【００１７】
かかる機枠タグ２１は、遊技枠３を閉じた状態で機枠アンテナ２０との間で、所定の周波数（ここでは、１３．５６ＭＨｚ）を利用して、ＲＦ送受信を行うことが可能であり、呼出波を受信すると、予め記憶されている識別情報を含む反射波を、所定の通信範囲（約３ｍｍ）内に出力（返信）するように設定されている。なお、そのＲＦ送受信は、タグとアンテナとの間に合成樹脂やガラスなどの非金属が介在したとしても問題なく行うことが可能である。また、反射波の返信は、ＥＥＰＲＯＭ２４からＩＤコード等の識別情報を読み出し、その識別情報を反射波にのせてＲＦ回路２３から送信することによって行われる。さらに、機枠タグ２１は、送信された呼出波を送受信回路２６が受信し、呼出波に含まれた搬送波成分をＲＦ回路２３で整流することによって直流電圧を得ることができるため、外部からの電源供給を受けることなく、必要な時にいつでも反射波を返信することができる。加えて、機枠タグ２３は、呼出波にのせて送信されてくる特定のデータ（監視履歴情報等）をＥＥＰＲＯＭ２４に記憶しておくことができる。
【００１８】
また、図２に示されているように、遊技枠３の開放側端面には、機枠アンテナ２０が固着されている。図６は、機枠アンテナ２０を示したものであり、機枠アンテナ２０は、基板２７の表面に送受信回路２８が渦巻き状に形成されたものを、合成樹脂等によりコーティングしたものである。そして、送受信回路２８の両端縁の端子２９、２９に、同軸ケーブル３０が接続されており、機枠アンテナ２０は後述するＲ／Ｗユニット（監視制御装置）６６へと同軸ケーブル３０を介して接続されている。
【００１９】
さらに、前面枠４は、フレーム３１に２枚のガラス板（図示せず）が嵌め込まれたものである。フレーム３１の中央には円形の遊技窓３２が穿設されており、フレーム３１の後側の周縁際には、ガラス板を嵌め込むための２列の嵌合溝３３、３３が設けられている。そして、遊技領域１３の前方を内側のガラス板によって閉塞することによって偏平な円柱状の遊技空間が形成されており、遊技球が流下可能になっている。
そして、図２に示されているように、前面枠４の裏側上端縁には、ＲＦ送受信を行う前面枠タグ３４が固着されているとともに、遊技枠３の右上端縁（前方から見て）であって、前面枠４を閉じた際に、前面枠タグ３４と対峙する箇所には、前面枠タグ３４との間でＲＦ送受信を行う前面枠アンテナ３５が固着されている。
なお、前面枠タグ３４及び前面枠アンテナ３５は、機枠タグ２１及び機枠アンテナ２０とそれぞれ略同一の構成を有するものであり、前面枠タグ３４のＥＥＰＲＯＭ２４には、前面枠タグ３４を他のＩＣタグと識別するための識別情報が記憶されている。
【００２０】
次に、図３に基づいてパチンコ機１の背面について説明する。ミドル枠１０の背面側（遊技枠３の背面側）には機構板３６が設けられており、該機構板３６にはメイン制御ボックス３８、遊技球払出装置６３、及びセンターカバー６４等が設置されている。メイン制御ボックス３８は左下方（背面側から見て）に設置されており、パチンコ機１の遊技内容に関する動作を制御するためのメイン制御基板３７を収納している。ここで、パチンコ機１の遊技内容に関する動作とは、遊技球の払い出し動作や、遊技者にとって有利な「大当たり状態」を生起させるか否かの「抽選」等の各種の動作（すなわち、遊技者の利益に直接的に関わる動作）のことである。
図７〜図９は、それぞれメイン制御ボックス３８の正面図、左側面図、分解斜視図である。メイン制御ボックス３８は、ＬＳＩ等の各種の制御素子を搭載したメイン制御基板３７、メイン制御基板３７を覆うための分割式の収納ケース３９、所定の呼出波を受信した際に記憶している識別情報を含む反射波を出力するメインタグ４０、メインタグ４０に対して呼出波を送信するとともにメインタグ４０からの反射波を受信するメインアンテナ４１等によって構成されている。また分割式の収納ケース３９は、透明な合成樹脂製の前ケース４２と透明な合成樹脂製の後ケース４３とによって構成されている。
【００２１】
前ケース４２は、透明な合成樹脂（アクリル樹脂等）によって開口した箱状に形成されており、長方形状のフロントパネル４４の周囲が、略直角に後ケース４３側へ折り返された状態となっている。フロントパネル４４の右側折り返し部４５の後端縁際には、３つの縦長な係止孔４６、４６・・が等間隔で穿設されている。また、フロントパネル４４の左側折り返し部４７には、２個の係合翼４８ａ、４８ｂが設けられている。さらに、係合翼４８ａの上端、及び係合翼４８ｂの下端には、係合孔４９がそれぞれ穿設されている。さらにまた、フロントパネル４４の上端際には、コネクタ挿通窓５０が設けられている。
一方、後ケース４３は、透明な合成樹脂（アクリル樹脂等）によって偏平な直方体状に形成されている。そして、長方形状の基板支持板５１の表面に、補強用のリブ５２、５２・・が格子状に立設されており、基板支持板５１の周囲が略直角に前ケース４２側へと折り返された状態となっている。また、後ケース４３の右端縁際には、スピーカ１１から発生させる効果音の内容を制御するための効果音制御基板６２を覆うための中空状の音基板カバー５４が設けられており、その音基板カバー５４の内側面には、嵌合突起５５、５５・・が突設されている。さらに、左側折り返し部５６には、２個の支持翼５７ａ、５７ｂが連設されており、支持翼５７ａの上端、及び支持翼５７ｂの下端には、先端が矢尻状に形成された係合体５８、５８が突設されている。
【００２２】
また、メイン制御基板３７は、縦長の長方形状に形成されており、中央部分の表面には、パチンコ機１の動作内容を制御するためのＬＳＩ５９等の各種の制御素子が搭載されている。なお、ＬＳＩ５９は、各種の演算処理を行うＣＰＵ、データやプログラム等を一時的に記憶するＲＡＭ、各種のデータや制御プログラム等を記憶したＲＯＭ等を一体にモールディングしたものである。また、メイン制御基板３７の上端際には、各種の装置に接続するためのコネクタ６０、６０・・が設置されている。そして、このメイン制御基板３７は、リブ５２、５２・・に支えられた状態で、後ケース４３に螺着されている。
【００２３】
ここで、メイン制御ボックス３８の組立方法を説明する。
まず、後ケース４３の音基板カバー５４の内側面に突設された嵌合突起５５、５５・・を、前ケース４２の右側折り返し部４５に穿設された係止孔４６、４６・・に嵌合させた状態とする。次に、後ケース４３の支持翼５７ａ、５７ｂに突設された各係合体５８を、前ケース４２の係合翼４８ａ、４８ｂに穿設された各係合孔４９に係合させることで、前ケース４２と後ケース４３とが一体となって、メイン制御ボックス３８が組み立てられる。そして、メイン制御基板３７は、前ケース４２と後ケース４３とで覆われており、外部と遮断された状態となっている。
一方、後ケース４３の支持翼５７ａの外側には、図７〜図９に示されているように、偏平な長方形状のメインタグ４０が固着されている。メインタグ４０は、上記の機枠タグ２１と略同様に構成されたものであり、メインタグ４０に設けられたＥＥＰＲＯＭ２４の上書消去禁止区域には、メインタグ４０を他のＩＣタグと識別するためのＩＤコード等の識別情報が記憶されている。そして、このように形成されたメインタグ４０は、後ケース４３に強固に固着されている。
【００２４】
また、前ケース４２の係合翼４８ａには、図９に示されているように、メインアンテナ４１が、その略半分を係合翼４８ａの表面に沿って、後ケース４３へ向かって突出させた状態で貼着されている。そして、メイン制御ボックス３８を組み立てた状態では、メインアンテナ４１が、後ケース４３の支持翼５７ａの外側に固着されたメインタグ４０を覆い、メインタグ４０と対峙した状態となっている。メインアンテナ４１は、機枠アンテナ２０と略同様に構成されており、渦巻き状に形成された送受信回路４４の両端縁の端子４５、４５に、同軸ケーブル４６が接続されている。
上記したメインタグ４０とメインアンテナ４１との間では、機枠タグ２１と機枠アンテナ２０との間で行われているものと略同様のＲＦ送受信が行われており、メインタグ４０は、メインアンテナ４１からの呼出波を受信すると、予め登録されている識別情報を含む反射波を返信する。また、メインタグ４０においても、呼出波にのせて送信されてきた特定のデータ（監視履歴情報等）をＥＥＰＲＯＭ２４に記憶可能となっている。
【００２５】
一方、図３に示されているように、パチンコ機１の右側稍上方（背面から見て）には、賞品球や貸球を払い出すための遊技球払出装置６３が設置されている。また、メイン制御ボックス３８の上方には、センターカバー６４が設置されており、そのセンターカバー６４の内部には、上記各タグとアンテナとの間のＲＦ送受信を制御するとともに、パチンコ機１の監視を行う監視制御装置であるリーダ／ライタユニット（以下、Ｒ／Ｗユニットという）６６等が設置されている。
【００２６】
図１０は、Ｒ／Ｗユニット６６の制御機構を示したものであり、Ｒ／Ｗユニット６６は、ＣＰＵ（監視手段）６８、ＲＡＭ６９、ＲＯＭ７０、ＥＥＰＲＯＭ（記憶手段）７１、タイマ７２、各タグとアンテナとの間でのＲＦ送受信を行うためのＲＦ回路７３等を有している。また、ＣＰＵ６８が、Ｉ／Ｏインタフェイス７４を介して、外部の装置等へ信号を出力する際の出力ポートであるＬＡＮユニット７５、及び後述する中継タグ７６等と接続されている。さらに、ＲＦ回路７３が、上記各アンテナの同軸ケーブル３０と接続されている。加えて、ＬＡＮユニット７５は、外部のネットワーク（パソコン等）と接続されている。なお、Ｒ／Ｗユニット６６は、パチンコ機１が設置されている島設備から２４時間（常時）電源供給されるようになっている。また、ＥＥＰＲＯＭ７１には、各タグに登録されている識別情報が予め記憶されている。
このように構成されたＲ／Ｗユニット６６は、ＲＦ回路７３を介して各アンテナと各タグとの間で常時（２４時間）ＲＦ送受信を行っており、それぞれ各タグからの反射波を受信すると、再度呼出信号を発信するという監視動作を、短時間（約数十ｍｓ）の周期で繰り返し実行している。そして、上記のような監視動作において、例えば反射波を受信しなくなった場合等の異常な状態を検知した場合には、ＣＰＵ６８により異常な状態と判断され、監視履歴情報として異常な状態を検知した時刻や異常な状態であった時間（タイマ７２の基づいて検出）等をＥＥＰＲＯＭ７１に記憶する。
【００２７】
一方、図２に示されているように、前面枠４の裏面右上方には、伝送線７７によってＲ／Ｗユニット６６に接続されている中継タグ７６が、係止片７８、７８・・を有する係止部によって係止された状態で取り付けられている。各係止片７８は、それぞれ断面Ｌ字状に形成され、前面枠４の裏面から突設されたものである。そして、係止部は、中継タグ７６の両サイド及び下側を係止すべく、３つの係止片７８、７８・・を一組として構成されている。該係止部は、前面枠４の裏面において四隅に設けられており、中継タグ７６の取り付け位置を適宜変更することができるようになっている。
図１１は、中継タグ７６の外観を示した説明斜視図であり、図１２は、中継タグ７６の制御機構を示すブロック図である。中継タグ７６は、合成樹脂等により略直方体状に形成されたブロック体７９内にＲＦ回路８０とＣＰＵ８１とを一体にしたＩＣチップ８３、及びアンテナ回路８４を内蔵したものである。また、ＩＣチップ８３は、Ｒ／Ｗユニット６６と指令のやりとりを行うための入出力ポート８５を備えている。
【００２８】
かかる中継タグ７６は、後述するようなＲＦ送受信可能なユニットを備えたＰＤＡ９０等の外部携帯端末との間で、所定の周波数（ここでは、１２５ｋＨｚ）を利用して、ＲＦ送受信を行うことが可能である。そして、中継タグ７６は、ＰＤＡ９０からの呼出波を受信すると、伝送線７７を介してＲ／Ｗユニット６６から上記のような監視履歴情報を受信し、ＰＤＡ９０にその監視履歴情報を反射波にのせて出力（返信）する。なお、中継タグ７６とＰＤＡ９０との間で行われるＲＦ送受信は、上記の如く長波帯で通信を行っており、このような周波数帯とすることで、通信距離を比較的長くとることができる。
さらに、中継タグ７６は、ＰＤＡ９０等から送信された呼出波をアンテナ回路８４が受信し、呼出波に含まれた搬送波成分をＲＦ回路８０で整流することによって直流電圧を得ることができるため、外部からの電源供給を受けることなく、必要な時にいつでも処理することができる。加えて、中継タグ７６は、パチンコ機１の前面枠４からアクセス可能に配置されているため、ホール店員等がＰＤＡ９０を用いて容易に監視履歴情報の読み取りを行うことができる。
【００２９】
図１３は、本実施例において用いるＰＤＡ９０の外観を示す説明斜視図であり、図１４は、該ＰＤＡ９０の制御機構を示すブロック図である。
ＰＤＡ９０は、従来より利用されている周知の携帯型情報端末であり、本体上部にＳＤメモリカード（Secure Digital Memory Card）やＭＭＣ（Multi Media Card）等のメモリカード、あるいはＰＣカード型のＰＨＳアダプタ等を挿入するためのカードスロットを備えており、該カードスロットには、アンテナ９１とＲＦ回路９２とを備えたＲＦ通信ユニット９３が挿入されている。ＲＦ通信ユニット９３は、アンテナ９１を中継タグ７６に適切な角度で向けられるように、軸９４を中心として約９０°の範囲で回動可能となっている。また、ＰＤＡ９０の正面には、メニューや受信した監視履歴情報等を表示する表示画面９５、ＰＤＡ９０を操作するための操作キー９６等が備えられている。さらに、ＰＤＡ９０は受信した監視履歴情報等を記憶するフラッシュメモリ９７、Ｒ／Ｗユニット６６と監視履歴情報等のデータの送受信を行うためのＩ／Ｏインタフェイス９８等を備えている。
かかるＰＤＡ９０を用いて、ＲＦ通信ユニット９３を中継タグ７６へ向けて回動させ、監視履歴情報を要求する呼出波を中継タグ７６へと送信し、中継タグ７６から監視履歴情報を含んだ反射波を受信する。受信した監視履歴情報は、表示画面９５に表示することができる。
【００３０】
（３）実施例の遊技機管理システム及びパチンコ機の動作内容
パチンコ機１は、メイン制御ボックス３８に収納されたメイン制御基板３７に記憶されたプログラムにしたがって、主たる遊技動作を実行する。そして、発射ハンドル８の回転操作によって遊技領域１３に打ち出された遊技球が図柄始動口１６に入賞すると、メイン制御基板３７において「抽選」を実行し、「大当たり」を生起させるか否かを決定する。また、「抽選」を実行すると略同時に、図柄表示装置１４の液晶画面１５に表示された図柄を変動させ（他の図柄と順々に入れ替わる動画を表示し）、所定時間後に停止させて新たな図柄を表示する。さらに、「抽選」において「大当たり」が生起した場合には、図柄の変動後に、予め設定された「大当たり図柄」を表示するとともに、「大当たり状態」を生起させて、大入賞装置１７の扉部材５３を所定回数だけ断続的に開放させる。なお、大入賞装置１７の扉部材５３は、「大当たり状態」生起時以外では開放しないようになっている。一方、扉部材５３の内部の大入賞口や各種の入賞装置に遊技球が入賞した場合には、所定数の遊技球を賞品球として供給皿６に払い出す。
【００３１】
一方、パチンコ機１では、不正に遊技枠３を開放させるといった不正行為等が行われているか否かを監視を行っている。この監視動作を、各タグとアンテナとの間におけるＲＦ送受信を利用した監視動作を実行するプログラムを示した図１５にしたがって説明する。
パチンコ機１では、Ｒ／Ｗユニット６６のＲＦ回路８０が、機枠２に固着されている機枠アンテナ２０を介して、遊技枠３に取り付けられている機枠タグ２１へと、所定の周波数（１３．５６ＭＨｚ）の呼出波を送信（ＲＦ送信）している（ステップ１、以下Ｓ１とする）。機枠タグ２１は、呼出波を受けると、直ちにＥＥＰＲＯＭ２４内から識別情報を呼び出し、その識別情報を含めた反射波を返信（ＲＦ送信）する。機枠タグ２１が反射波を送信すると、Ｒ／Ｗユニット６６は機枠アンテナ２０によって、その反射波を受信する（Ｓ２）。そして、Ｒ／Ｗユニット６６は、機枠タグ２１からの反射波に含まれる識別情報が、Ｒ／Ｗユニット６６のＥＥＰＲＯＭ７１に予め記憶されているものと一致するか否かをＣＰＵ６８により判断し（Ｓ３）、記憶されたものと同一であると確認した場合（正常であると判断した場合）には、再度、直ちに呼出波を送信する（Ｓ１）。
【００３２】
しかしながら、Ｓ２において、呼出波を送信してから所定時間（たとえば、５０ｍｓ）内に反射波を受信しなかった場合には、Ｒ／Ｗユニット６６は、異常な状態であると判断し、反射波を受信しなくなった時刻をタイマ７２に基づいてＥＥＰＲＯＭ７１に記憶する（Ｓ４）。また、Ｓ３において、Ｒ／Ｗユニット６６は、機枠タグ２１からの反射波に含まれる識別情報が、予めＥＥＰＲＯＭ７１に登録されているものと一致しなかった場合にも、Ｒ／Ｗユニット６６は、異常な状態であると判断し、登録されていない識別情報を含む反射波を受信した時刻（監視履歴情報）をタイマ７２に基づいてＥＥＰＲＯＭ７１に記憶する（Ｓ４）。加えて、Ｒ／Ｗユニット６６は、異常な状態から正常な状態へと復帰した場合には、正常な状態へと復帰した時刻（監視履歴情報）とともに、異常な状態であった時間（監視履歴情報）をタイマ７２に基づいてＥＥＰＲＯＭ７１に記憶する。
【００３３】
上記の如く、パチンコ機１は、遊技枠３における監視動作を、短時間（約数十ｍｓ）の周期で２４時間繰り返し実行しており、機枠タグ２１と機枠アンテナ２０との間でのＲＦ送受信は、両者間の距離が約３ｍｍ以内となっている場合のみ通信可能に設定しているため、ほんの少しの時間、わずかな隙間を不正に開放したとしても、その不正行為を検知することができる。
【００３４】
また、Ｒ／Ｗユニット６６は、前面枠４及びメイン制御ボックス３８の監視動作をも行っている。各監視動作は、前面枠タグ３４と前面枠アンテナ３５との間、及びメインタグ４０とメインアンテナ４１との間におけるＲＦ送受信を利用しており、遊技枠３の開閉状態の監視動作と同様に、図１５に示されているプログラムにしたがって行われており、それぞれにおいて異常な状態を検知した場合には、上述したような監視履歴情報がＥＥＰＲＯＭ７１に記憶される。
【００３５】
一方、上記の如くＲ／Ｗユニット６６のＥＥＰＲＯＭ７１に記憶される監視履歴情報（各タグとアンテナとにおけるＲＦ送受信に関するもの）の管理を、中継タグ７６を介することでＰＤＡ９０を用いて行うことができる。以下、監視履歴情報の処理動作を図１６にしたがって説明する。
ＰＤＡ９０のＲＦ通信ユニット９３を中継タグ７６へとかざすことで、たとえパチンコ機１の遊技枠３を閉じた状態（前面枠４も閉じた状態）であっても、前面枠４越しにＰＤＡ９０と中継タグ７６とはＲＦ送受信可能な状態となる。なお、中継タグ７６とＰＤＡ９０との間のＲＦ送受信は、比較的長帯波の周波数を利用しているため、機枠タグ２１と機枠アンテナ２０との距離ほど近づける必要はない。
【００３６】
そのように、ＰＤＡ９０を中継タグ７６へとかざした状態で、ＰＤＡ９０から監視履歴送信要求信号或いは監視履歴クリア信号を含む呼出波を送信する（Ｓ１１）。ここで、Ｓ１２において、所定時間（たとえば、５ｓ）内に中継タグ７６からの返信が確認されなければ、ＰＤＡ９０の表示画面９５に中継タグ７６と通信不可能である旨がエラー表示される（Ｓ１３）。一方、中継タグ７６との間で通信可能な状態であった場合には、Ｓ１４において、送信された呼出波には含まれている信号が監視履歴送信要求信号であるのか、または監視履歴クリア信号であるのかが判断される。
Ｓ１４における判断の結果、中継タグ７６が受信した呼出波が監視履歴送信要求信号を含む場合には、中継タグ７６はＲ／Ｗユニット６６のＥＥＰＲＯＭ７１に記憶されている監視履歴情報を読み出し（監視履歴情報を処理し）、監視履歴情報を反射波にのせてＰＤＡ９０へと返信する。中継タグ７６から返信された監視履歴情報は、ＰＤＡ９０の表示画面９５に表示される（Ｓ１５）。
【００３７】
一方、Ｓ１４における判断の結果、中継タグ７６が受信した呼出波が監視履歴クリア信号を含む場合には、Ｓ１６へと進み、Ｒ／Ｗユニット６６のＥＥＰＲＯＭ７１に記憶されている監視履歴情報がクリアされる（監視履歴情報が処理される）。そして、監視履歴情報をクリアした旨が、ＰＤＡ９０の表示画面９５に表示される（Ｓ１７）。なお、初めに監視履歴送信要求信号により監視履歴情報をＰＤＡ９０の表示画面９５に表示させておいて、不必要な監視履歴情報のみを選択した後、監視履歴クリア信号により選択した監視履歴情報のみをクリアすることは当然可能である。
【００３８】
また、中継タグ７６の取り付け位置は、係止部にしたがって適宜変更することができる。係止方法は、中継タグ７６の両サイドと下部との三箇所を係止片により係止させるのみである。
【００３９】
（４）実施例の遊技機管理システム及びパチンコ機の効果
上記の如く、パチンコ機１は、機枠２に機枠タグ２１を、遊技枠３には機枠アンテナ２０をそれぞれ設け、機枠タグ２１と機枠アンテナ２０との間のＲＦ送受信により、機枠２に対する遊技枠３の開閉状態を監視している。そして、たとえば夜間等に遊技枠３を不正に開放するような不正行為を行った場合には、機枠アンテナ２０が機枠タグ２１からの反射波を受信できなくなるため、Ｒ／Ｗユニット６６において遊技枠３が不正に開放されている可能性があることを検知することが可能であり、更に反射波を受信できなくなった時刻がタイマ７２に基づいてＥＥＰＲＯＭ７１に記憶される。したがって、不正行為が行われている事態を直ちに（リアルタイム）で検知することが可能であり、上記したような不正行為を効果的に防止することができる。
また、パチンコ機１は、機枠タグ２１からの反射波に含まれている識別情報が、予めＥＥＰＲＯＭ７１に登録されているものと異なっている場合にも、異常であると判断し、その時刻をタイマ７２に基づいてＥＥＰＲＯＭ７１に記憶するため、機枠タグ２１の不正交換といった事態にも効果的に対応することが可能である。
【００４０】
さらに、前面枠４の開閉状態の監視も略同様に行っており、遊技中における前面枠４の不正開放等を効果的に防止することができる。
さらにまた、パチンコ機１は、メイン制御基板３７を収納する収納ケース３９が前ケース４２及び後ケース４３からなる分割式のものであるとともに、メインタグ４０及びメインアンテナ４１が、前ケース４２及び後ケース４３にそれぞれ取り付けられており、ＲＦ送受信可能な状態で対峙している。そして、メインアンテナ４１がＲ／Ｗユニット６６のＲＦ回路７２と接続しており、Ｒ／Ｗユニット６６において上記ＲＦ送受信が行われなくなった場合には不正に開放されていると判断し、ＲＦ送受信が行われなくなった時刻をＥＥＰＲＯＭ７１に記憶するため、メイン制御ボックス３８の不正な開放（収納ケース３９の不正開放）を効果的に監視及び防止することができる。
加えて、パチンコ機１は、従来よりホールにおいて使用されているパチンコ機１にＲ／Ｗユニット６６を設置するだけで構成可能であるため、生産性が非常に優れている。また、パチンコ機１は、遊技枠３、前面枠４、及びメイン制御ボックス３８の開閉状態の監視を一つのＲＦ回路７３にて行っているため、Ｒ／Ｗユニット６６の構成を簡素化することができる。
【００４１】
また、中継タグ７６を利用した遊技機管理システムでは、パチンコ機１の前面枠４の裏側に中継タグ７６が取り付けられており、遊技枠３や前面枠４等を開放することなく、ＰＤＡ９０等の携帯端末においてパチンコ機１の監視履歴情報を参照したり及びクリアしたりすることができるため、余分な手間がかからず、非常に効率よく監視履歴情報を処理することができる。さらに、パチンコ機１の監視履歴情報をＰＤＡ９０の表示画面９５に表示して確認することができるため、不正行為の早期発見や防止に役立てることができる。
さらにまた、中継タグ７６は容易にの取り付け可能である上、取付位置を係止部にしたがって適宜変更することができる。したがって、ＰＤＡ９０との通信状態がおもわしくない等の場合には、中継タグ７６の取付位置を変更すればよく、より利便性の優れた遊技機管理システムとなっている。
【００４２】
（５）本発明の変更例の説明
本発明の遊技機は、上記実施形態の態様に何ら限定されるものではなく、メイン制御基板、中継タグ、ＰＤＡ、監視制御装置、監視手段、収納ケース、各ＩＣタグ、各アンテナの材料、形状、構造、取り付け位置等の構成を本発明の趣旨を逸脱しない範囲内で適宜変更することができる。
例えば、分割式の収納ケースは、上記実施形態の如く、シンプルな係合機構のみを設けたものに限定されず、片方のケースの端縁に、ワンウェイタイプのネジを保持した切断可能な複数のネジ保持部を設ける（たとえば、小径の連結体を介して片方のケースの本体にネジ保持部が繋がった形状となるように、片方のケース、連結体、ネジ保持部を合成樹脂によって一体的に成形する）とともに、他方のケースの端縁に、ネジ保持部に保持されたネジを螺着させるネジ孔を形成したもの等に変更することも可能である。かかる構成を採用した場合には、収納ケースが不正に開放されると、収納ケースに不正に開放された痕跡が残り、目視によってもその事態を速やかに把握することができるため、収納ケースの不正開放が一層困難なものとなる、というメリットがある。
【００４３】
また、監視動作に利用するＩＣタグやアンテナを遊技枠、機枠、前面枠、及び収納ケースに固着する方法は、接着剤による接着であってもよいし、ＩＣタグやアンテナを構成する樹脂を収納ケース等に融着させる方法や、ＩＣタグやアンテナを収納ケース等と一体的に成形する方法等の別の取付方法に変更することも可能である。なお、シート状のＩＣタグやアンテナを、裏面に粘着剤を塗布したシールとするとともに、粘着剤層の表面に剥離紙を貼着しておき、設置する際に剥離紙を剥離して貼着するようにすれば、ＩＣタグやアンテナの設置が非常に容易になる、というメリットがある。
さらに、上記の如く、各ＩＣタグ、及び各アンテナをシールとする場合には、それらが剥離された場合に機能を果たさなくなるようにする（いわゆる、自己破壊タイプのものとする）ことも可能である。そのように構成した場合には、遊技機が奏する遊技枠や前面枠等の不正開放防止機能をより精度の高いものとすることが可能となる。なお、タグやアンテナを自己破壊タイプのものとする方法としては、フレキシブルプリント基板の表面に積層する粘着剤層中に送受信回路を形成する方法や、剥離によって所定量以上の応力が加わると短絡するような回路をタグやアンテナに設ける（内蔵させる）方法等を採用することができる。
【００４４】
さらにまた、ＩＣタグは、他のＩＣタグと識別するためのＩＤコードのみならずメーカーＩＤやホールＩＤ等の識別情報をも記憶させたものに変更することも可能である。さらに、ＩＣタグ及び中継タグは、ＲＦ送受信を利用して識別情報を送信するものに限定されず、赤外線通信を利用して識別情報を送信するもの等に変更することも可能である。さらに、本発明の遊技機は、パチンコ機に限定されず、スロットマシーンやテレビゲーム等のパチンコ機以外の遊技機に変更することも可能である。
加えて、遊技機の前面枠に嵌め込むガラス板は一枚でも二枚でもよく、前面枠及び遊技枠の形状等については実施形態に記載の形状に限定されることはない。勿論、前面枠に嵌め込む透明板は、ガラス板に限定されず、アクリル等の合成樹脂製の板に変更することも可能である。
【００４５】
また、Ｒ／Ｗユニットは、テンキー等の入力手段が設けられており、所定の入力をすることによって、Ｒ／ＷユニットのＥＥＰＲＯＭに記憶されている識別情報を、各タグの交換に伴い適宜書換変更可能な構成にしてもよい。なお、Ｒ／Ｗユニットを、上記実施形態の如く、ごく短期間の周期で定期的な監視を行うものとした場合には、不正行為が行われた事態をリアルタイムで把握することができる、というメリットがある。また、Ｒ／Ｗユニットは、異常を検知した旨を不揮発性の記憶手段であるＥＥＰＲＯＭに記憶するものに限定されず、通常のＲＯＭ、ＲＡＭ、ハードディスク、光メディア等の記憶手段に記憶するもの等でもよい。さらに、Ｒ／Ｗユニットは、パチンコ機が設置される島設備から電源供給を受けるものに限定されず、パチンコ機から直接電源供給を受けるもの等でもよい。加えて、Ｒ／Ｗユニットはパチンコ機とは別体のものであり、パチンコ機に設置される必要性はなく、パチンコ機の外部に設置してもよい。
【００４６】
さらに、Ｒ／Ｗユニットは、営業時間中には異常事態の報知のみを行い、遊技機が稼働していない夜間等に監視履歴情報をＥＥＰＲＯＭ等の記憶手段に記憶のみ行うものに変更することも可能である。なお、Ｒ／Ｗユニットを外部のネットワークと接続し、異常事態を外部へと報知するようにしてもよい。その際のＲ／Ｗユニットと外部のネットワークとの接続方法は、有線による接続であってもよいし、無線による接続でもよい。さらにまた、正常でない事態を報知する場合には、図柄表示装置等に不正行為が行われている可能性がある旨を表示するようにしてもよいし、不正表示ランプ等を別途設け、点灯点滅させるようにしてもよい。
【００４７】
またさらに、上記実施形態においては、中継タグを前面枠の裏側に取り付け方法として、三つの係止片からなる係止部に係止させるものを採用したが、それに限定されることはなく、例えば、中継タグの裏面側の四隅に吸盤を設ける構成としてもよい。裏側に吸盤を設けた中継タグとすることで、中継タグの取り付け位置の自由度を更に向上させることができる。また、吸盤の代わりにクリップ状の取付部材を設ける構成とし、前面枠のガラス板等にクリップ状の取付部材を挟んで取り付ける構成としても何ら問題はない。
さらに、上記実施形態においては、中継タグを前面枠の裏面に取り付けるものとしたが、概して遊技機の前面側で、遊技枠や前面枠等を開けることなく外部携帯端末と通信可能となるのであれば、容易に監視履歴情報を管理できるという効果は同様である。また、遊技機に取り付けるのではなく、遊技機が設置されている島設備に取り付けるようにしてもよい。
【００４８】
加えて、上記実施形態においては、中継タグとＲＦ送受信を行う外部携帯端末としてＰＤＡを採用したが、携帯電話等を利用することも当然可能である。また、ＰＤＡはその起動にあたってパスワード等の使用者権限の入力を要請するものであってもよいし、中継タグを介してＲ／Ｗユニットの監視履歴情報を処理する際に、使用者権限の入力を必要とする構成としてもよい。
また、各タグとアンテナとの間におけるＲＦ送受信、及び中継タグと外部携帯端末との間におけるＲＦ送受信において用いる周波数は、上記実施形態に何ら限定されることはない。さらに、タグとアンテナとの間のＲＦ送受信可能距離を３ｍｍとしたが、５ｍｍとしてもよいし、それ以上またはそれ以下に設定しても何ら問題はない。
【００４９】
さらにまた、ＩＣタグとアンテナの取付位置は、上記実施形態に限定されることはなく、例えば、大入賞装置本体にアンテナを、大入賞装置の扉部材にＩＣタグをそれぞれ取り付けるようにしてもよい。大入賞装置の扉部材の開閉状態を監視するようにすることで、ピアノ線等を用いて遊技中に不正に扉部材を開放させるような不正行為を確実に防止することができるようになる。
【図面の簡単な説明】
【００５０】
【図１】パチンコ機の正面図である。
【図２】遊技枠及び前面枠を片開きにした状態のパチンコ機を前方から見た斜視図である。
【図３】パチンコ機の背面図である。
【図４】ＩＣタグの正面図である。
【図５】ＩＣタグの制御機構を示すブロック図である。
【図６】アンテナの正面図である。
【図７】メイン制御ボックスの正面図である。
【図８】メイン制御ボックスの左側面図である。
【図９】メイン制御ボックスの分解斜視図である。
【図１０】Ｒ／Ｗユニットの制御機構を示すブロック図である。
【図１１】中継タグの外観を示す説明斜視図である。
【図１２】中継タグの制御機構を示すブロック図である。
【図１３】ＰＤＡの説明斜視図である。
【図１４】ＰＤＡの制御機構を示すブロック図である。
【図１５】パチンコ機の監視動作を実行するためのプログラムの一例を示すフローチャートである。
【図１６】パチンコ機の監視履歴情報の処理動作を実行するためのプログラムの一例を示すフローチャートである。
【符号の説明】
【００５１】
１・・パチンコ機、２０・・機枠アンテナ、２１・・機枠タグ、３４・・前面枠タグ、３５・・前面枠アンテナ、４０・・メインタグ、４１・・メインアンテナ、６６・・Ｒ／Ｗユニット、６８・・ＣＰＵ、７１・・ＥＥＰＲＯＭ、７２・・タイマ、７３・・ＲＦ回路、７６・・中継タグ、７８・・係止片、９０・・ＰＤＡ。
【図１】
2005130937.tif 000003
【図２】
2005130937.tif 000004
【図３】
2005130937.tif 000005
【図４】
2005130937.tif 000006
【図５】
2005130937.tif 000007
【図６】
2005130937.tif 000008
【図７】
2005130937.tif 000009
【図８】
2005130937.tif 000010
【図９】
2005130937.tif 000011
【図１０】
2005130937.tif 000012
【図１１】
2005130937.tif 000013
【図１２】
2005130937.tif 000014
【図１３】
2005130937.tif 000015
【図１４】
2005130937.tif 000016
【図１５】
2005130937.tif 000017
【図１６】
2005130937.tif 000018